(57)【要約】      （修正有）【課題】電極保持容器への標準液充填及び洗浄液の注入工程においての吸引/排出ポンプの吸入動作を不要とし且つ部品であるレベルセンサーの設置を不要とする電極校正装置を提供する。【解決手段】電極校正装置であって、校正液容器又は洗浄容器が電極保持容器よりも適宜高い水準位置に配置され、各弁の開閉を制御することによって校正液容器からの電極保持容器への校正液又は洗浄液の導入を吸入/排出ポンプを用いず弁の開閉を制御することのみによって行う電極校正装置。【選択図】図１７
2018100863.tif 000002
【特許請求の範囲】
【請求項１】
電極測定部を有する電極を支持する電極保持容器と、
校正液を保持する校正液容器と、
洗浄液を保持する洗浄液容器とを含み、
前記電極保持容器の下部には校正液入口、洗浄液入口及び排液口が形成され、
前記校正液入口は弁Ａを介して管により前記校正液容器に接続され、
前記洗浄液入口は弁Ｂを介して管により前記洗浄水容器に接続され、
前記電極保持容器の一部には吸排気口が形成され、
前記吸排気口は弁Ｃを介して管により圧縮空気源に接続されるか又は大気に開放され、
前記校正液容器が電極保持容器よりも適宜高い水準位置に配置され、
前記各弁の開閉を制御することによって前記校正液容器から前記電極保持容器への前記校正液の導入を圧縮空気又は吸引ポンプ等の吸引装置を用いず各弁の開閉を制御することのみによって行う、
電極校正装置。
【請求項２】
電極測定部を有する電極を支持する電極保持容器と、
校正液を保持する校正液容器と、
洗浄液を保持する洗浄液容器とを含み、
前記電極保持容器の下部には校正液入口、洗浄液入口及び排液口が形成され、
前記校正液入口は弁Ａを介して管により前記校正液容器に接続され、
前記洗浄液入口は弁Ｂを介して管により前記洗浄水容器に接続され、
前記電極保持容器の一部には吸排気口が形成され、前記吸排気口は弁Ｃを介して管により圧縮空気源に接続されるか又は大気に開放され、
前記洗浄液容器が電極保持容器よりも適宜高い水準位置に配置され、
前記各弁の開閉を制御することによって前記洗浄液容器から前記電極保持容器への前記洗浄液の導入を圧縮空気又は吸引ポンプ等の吸引装置を用いず各弁の開閉を制御することのみによって行う、
電極校正装置。
【請求項３】
前記電極がｐＨ電極である請求項１又は２に記載の電極校正装置。
【請求項４】
前記電極がＤＯ電極である請求項１又は２に記載の電極校正装置。
【発明の詳細な説明】
【技術分野】
【０００１】
本発明は、微生物及び動・植物細胞を利用した食品、医薬品等の製造又は研究に用いられる培養装置に使用されるｐＨ電極やＤＯ(溶存酸素)電極等の電極校正機器に関する。特には、校正液及び洗浄液の充填方法に工夫をこらした電極校正装置に関する。
【背景技術】
【０００２】
ｐＨ電極やＤＯ(溶存酸素)電極は、培養時の培養液の質的変化による培養の状況、即ち菌体及び動・植物細胞の生育状況や菌体及び動・植物細胞の生産物、或いは雑菌汚染の有無を確認するのに従来から広く使用されている。
【０００３】
これらの電極は使用時毎に校正を行うことは電極の性質上、必要不可欠である。
【０００４】
例えば、ｐＨ電極の場合、予め用意された２種類の標準校正液(バッファ=緩衝溶液)、ｐＨ７(ゼロ校正用)とｐＨ４又はｐＨ９(スパン校正用)に電極先端(測定部)を交互に浸し、校正を行う。
【０００５】
又、ＤＯ電極の場合には、予め調整、用意した標準校正液(５〜１０％の亜硫酸ナトリウム溶液)でゼロ校正を行い、空気によりスパン校正を行う。
【０００６】
前記電極の従来からの手作業による校正作業はpH電極の校正の場合を例にすれば次のとおりである。
【０００７】
(1）洗浄
ｐＨ電極の先端（測定部）を蒸留水で洗浄する。
(２）拭き取り
上記（１）の水気を取る。
(３）ゼロ校正
容器に取った標準校正液（ｐＨ７）に電極を浸す。
(４）校正
測定器の値をｐＨ７に合わせる。
(５）洗浄
ｐＨ電極の先端（測定部）を蒸留水で洗浄する。
(６）拭き取り
上記（５）の水気を取る。
(７）スパン校正
容器に取った標準校正液（ｐＨ４）に電極を浸す。
（８）校正
測定器の値をｐＨ４に合わせる。
（９）洗浄
ｐＨ電極の先端（測定部）を蒸留水で洗浄する。
（１０）拭き取り
上記（９）の水気を取る。
（１１）終了
以上が従来の手作業によるｐＨ電極の校正作業である。
【０００８】
次に、従来のＤＯ電極の手作業による校正手順は以下のとおりである。
（１）洗浄
ＤＯ電極の先端（測定部）を蒸留水で洗浄する。
（２）拭き取り
水気を取る。
（３）ゼロ校正
容器に取ったゼロ校正液（5〜10％の亜硫酸ナトリウム溶液）に電極先端を浸す。
（４）校正
測定器を０％に合わせる。
（５）洗浄
ＤＯ電極の先端（測定部）を蒸留水で洗浄する。
（６）拭き取り
水気を取る。
（７）スパン校正
大気中にＤＯ電極を保持する。
（８）空気校正
酸素分圧の等しい空気を基準として１００％とする。相対酸素飽和濃度ともいう。他にｍｇ／Ｌ、ｐｐｍを単位とする場合もある。
【０００９】
以上の手作業による電極校正作業は、煩雑であり、校正液の洗浄、除去が不十分となり、校正に正確さを欠いたり、いちいち電極を取り外す必要があるため硝子製の先端測定部を破損する等不都合な問題点があった。
そこで、本発明者は、先般、電極校正装置（特願2015-159017）及び電極校正装置（特願2016-114952）による方法を開発し、自動化による作業の大幅な効率化、正確性及び安全性の向上を達成した。
【００１０】
電極校正装置（特願2015-159017）及び電極校正装置（特願2016-114952）によるpH電極の校正の場合を例にすれば、校正手順は以下のとおりである(図１8参照)。
ステップ０:準備
ｐＨ電極１aを電極保持容器１０ａの上部より載置する。
ステップ１：標準液pH7充填
電磁弁V2が開き吸入/排出ポンプ９の吸気作用により校正液(pH7)をレベルセンサー２ａで検知されるレベルまで電極保持容器１０ａに注入後V2が閉まり保持する。
ステップ２：標準液pH7戻し
測定器の値をpH７に合わせた後、電磁弁V2が開き、吸入/排出ポンプ９の空気押し出し作用により、標準校正液pH7をその容器に戻す。
ステップ３：洗浄
電磁弁V3が開き吸入/排出ポンプ９の吸気作用により洗浄液をレベルセンサー２ａで検知されるレベルまで電極保持容器10aに注入後、V3が閉まり保持する。
ステップ４：洗浄水排出
電磁弁V4が開き吸入/排出ポンプ９の空気押し出し作用により洗浄液を電極保持容器１０a外に排出する。
上記ステップ３と４は任意回数行うことができる。
ステップ５：乾燥
電磁弁V5が開き圧縮空気でタービンブロア装置11によりpH電極先端を乾燥させる。空気は電磁弁V4が開き電極保持容器１０ａ外に排出される。
ステップ６：標準液pH4充填
電磁弁V1が開き吸入/排出ポンプ９の吸気作用により校正液（pH4）をレベルセンサー２ａで検知されるレベルまで電極保持容器１０aに注入後V1が閉まり保持する。
ステップ７：標準液pH4戻し
測定器の値をpH４に合わせた後、電磁弁V1が開き、吸入/排出ポンプ９の空気押し出し作用により、校正液pH4をその容器に戻す。
ステップ８：洗浄
電磁弁V3が開き吸入/排出ポンプ９の吸気作用により洗浄液をレベルセンサー２ａで検知されるレベルまで電極保持容器１０ａに注入後V3が閉まり保持する。
ステップ９：洗浄水排出
電磁弁V4が開き吸入/排出ポンプ９の空気押し出し作用により洗浄液を電極保持容器１０a外に排出する。
上記ステップ８と９は任意回数行うことができる。
ステップ１０：乾燥
電磁弁V5が開き圧縮空気でタービンブロア装置11によりpH電極先端を乾燥させる。空気は電磁弁V4が開き電極保持容器１０外に排出される。
ステップ１１：終了
pH電極を電極保持容器１０ａより取り外す。
【００１１】
本発明は、従来の電極校正装置のステップ１（標準液充填）及びステップ３（洗浄工程）等の改良に関するものである。
【先行技術文献】
【特許文献】
【００１２】
【特許文献１】特願2015-159017
【特許文献２】特願2016-114952
【発明の概要】
【発明が解決しようとする課題】
【００１３】
本発明は、電極校正装置における、電極保持容器への校正液充填及び洗浄液の注入工程に関するものであって、前記の特願2015-159017に開示された電極校正装置や、前記の特願2016-114952に開示された電極校正装置における方法では、弁を開閉して吸入/排出ポンプの吸気作用により洗浄液や校正液をレベルセンサーによる検知レベルまで電極保持容器に注入して電極保持容器への校正液の充填や洗浄液の注入を行う。これら方法では吸入/排出ポンプの作動による吸入が必要であり且つレベルセンサーの設置が必要であり工程や構造が煩雑であった。本発明では、前記した電極保持容器への標準液充填及び洗浄液の注入工程においての吸引/排出ポンプの吸入動作が不要となり且つ部品であるレベルセンサーの設置が不要となり、電極校正作業の洗浄工程の簡素化を図ることによって、装置の大幅な簡素化、作業者の労力軽減、不注意による校正の失敗、破損を防止する電極校正装置を提供することを課題とするものである。
【課題を解決するための手段】
【００１４】
前記課題を解決するために本発明は、電極測定部を有する電極を支持する電極保持容器と、校正液を保持する校正液容器と、洗浄液を保持する洗浄液容器とを含んで形成され、前記電極保持容器の下部には校正液入口、洗浄液入口及び排液口が形成され、前記校正液入口は弁Ａを介して管により前記校正液容器に接続され、前記洗浄液入口は弁Ｂを介して管により前記洗浄水容器に接続され、前記電極保持容器の一部には吸排気口が形成され、前記吸排気口は弁Ｃを介して管により圧縮空気源に接続されるか又は大気に開放され、前記校正液容器が電極保持容器よりも適宜高い水準位置に配置され、前記各弁の開閉を制御することによって前記校正液容器からの前記電極保持容器への前記校正液の導入を圧縮空気又は吸引ポンプ等の吸引装置を用いず各弁の開閉を制御することのみによって行う、電極校正装置を提供する。
【００１５】
又、前記課題を解決するために本発明は、電極測定部を有する電極を支持する電極保持容器と、校正液を保持する校正液容器と、洗浄液を保持する洗浄液容器とを含んで形成され、前記電極保持容器の下部には校正液入口、洗浄液入口及び排液口が形成され、前記校正液入口は弁Ａを介して管により前記校正液容器に接続され、前記洗浄液入口は弁Ｂを介して管により前記洗浄水容器に接続され、前記電極保持容器の一部には吸排気口が形成され、前記吸排気口は弁Ｃを介して管により圧縮空気源に接続されるか又は大気に開放され、前記洗浄液容器が電極保持容器よりも適宜高い水準位置に配置され、前記各弁の開閉を制御することによって前記洗浄液容器からの前記電極保持容器への前記洗浄液の導入を圧縮空気又は吸引ポンプ等の吸引装置を用いず各弁の開閉を制御することのみによって行う、電極校正装置を提供する。
【００１６】
前記課題を解決するために本発明は、前記電極がｐＨ電極である前記に記載の電極校正装置を提供する。
【００１７】
前記課題を解決するために本発明は、前記電極がＤＯ電極である前記に記載の電極校正装置を提供する。
【発明の効果】
【００１８】
本発明は、電極校正装置における、電極保持容器への校正液充填又は洗浄液の注入工程に関するものであって、前記の特願2015-159017に開示された電極校正装置や、前記の特願2016-114952に開示された電極校正装置における方法では、吸入/排出ポンプの吸気作用により洗浄液や校正液をレベルセンサーを用いて検知レベルまで電極保持容器に注入して電極保持容器への校正液の充填や洗浄液の注入を行う。しかし、これら方法では吸入/排出ポンプの作動による吸入が必要であり且つレベルセンサーの設置が必要であり工程や構造が煩雑であった。本発明では、前記した電極保持容器への標準液充填及び洗浄液の注入工程においての圧縮空気又は吸引ポンプ等の吸引装置の吸入動作が不要となり且つ部品であるレベルセンサーの設置が不要となり、電極校正作業の洗浄工程の簡素化を図ることによって、装置の大幅な簡素化、作業者の労力軽減、不注意による校正の失敗、破損を防止する電極校正装置を提供することを課題とするものである。
【００１９】
従って、本発明の電極校正装置を用いれば、煩雑な電極校正作業を自動化することができ、校正液の洗浄、除去を十分に行うことができるため校正が正確となり、又、いちいち電極を取り外す必要が無いため硝子製の先端測定部を破損する等不都合な問題点が解消する。そして、本発明の電極校正装置は、校正液容器又は洗浄液容器の水準高さが電極保持容器より高く配置され、前記校正液及び前記洗浄液を前記電極保持容器に導入する際に各弁の開閉を調節するだけで圧縮空気又は吸引ポンプ等の吸引装置を用いる必要なく前記校正液及び前記洗浄液が前記電極保持容器に導入できるため、圧縮空気又は吸引ポンプ等の吸引装置による吸入動作が不要となり及び電極保持容器でのレベルセンサーの設置が不要となる結果、電極校正装置が大幅に簡素化され製造コストが安価となるという大きな効果を有する。
【図面の簡単な説明】
【００２０】
【図１】本発明の一実施例であるｐＨ電極校正装置の全体の構成を示す図である。
【図２】本発明の一実施例であるＤＯ電極校正装置の全体の構成を示す図である。
【図３】本発明の一実施例であるｐＨ電極校正装置の校正液充填時の全体の構成を示す図である。
【図４】本発明の一実施例であるｐＨ電極校正装置の校正液戻し時の全体の構成を示す図である。
【図５】本発明の一実施例であるｐＨ電極校正装置の校洗浄充填時の全体の構成を示す図である。
【図６】本発明の一実施例であるｐＨ電極校正装置の洗浄液排出時の全体の構成を示す図である。
【図７】本発明の一実施例であるｐＨ電極校正装置の校正液（ｐＨ７）充填時の全体の構成を示す図である。
【図８】本発明の一実施例であるｐＨ電極校正装置の校正液（ｐＨ７）戻し時の全体の構成を示す図である。
【図９】本発明の一実施例であるｐＨ電極校正装置の洗浄液充填時の全体の構成を示す図である。
【図１０】本発明の一実施例であるｐＨ電極校正装置の洗浄水排出時の全体の構成を示す図である。
【図１１】本発明の一実施例であるｐＨ電極校正装置の乾燥時の全体の構成を示す図である。
【図１２】本発明の一実施例であるＤＯ電極校正装置のゼロ校正時の全体の構成を示す図である。
【図１３】本発明の一実施例であるＤＯ電極校正装置の洗浄時の全体の構成を示す図である。
【図１４】本発明の一実施例であるＤＯ電極校正装置の排出時の全体の構成を示す図である。
【図１５】本発明の一実施例であるＤＯ電極校正装置のスパン校正時の全体の構成を示す図である。
【図１６】本発明の一実施例であるＤＯ電極校正装置の終了時の全体の構成を示す図である。
【図１７】本発明の別の一実施例であるｐＨ電極校正装置の全体の構成を示す図である。
【図１８】従来のpH電極校正装置の全体の構成を示す図である。
【発明を実施するための形態】
【００２１】
本発明において、電極としてはｐＨ電極とＤＯ(溶存酸素)電極を含む。
【００２２】
又、本発明において電極保持容器とは電極を支持する容器のものであって、電極を校正液や洗浄液に浸潤したり保持するものである。好ましくは管状の容器が用いられる。そして、好ましくは上部に電極を支持する部材を有し、例えば口金やパッキンなどを介して電極保持容器に気密に固定されている。
【００２３】
又、校正液とは電極を校正する液体であり、ｐＨ電極の場合の標準液や、ＤＯ電極の場合のゼロ校正液などである。校正液は、校正液容器に充填され、弁の開閉を調節することにより電極保持容器に導入されたり、電極保持容器から校正液容器に戻されたりする。
【００２４】
又、洗浄液は好ましくは洗浄水である。洗浄液とは電極等を洗浄する液体であり、洗浄液は、洗浄液容器に充填され、弁の開閉を調節することにより電極保持容器に導入された後、電極保持容器から排出される。
【００２５】
前記の電極保持容器の一部、好ましくは側胴上部付近に吸排気口が形成されている。この吸排気口は弁Cを介して圧縮空気源に接続されるか又は大気に開放されている。
又、前記電極保持容器の下部には校正液入口、洗浄液入口及び排液口が形成されている。
前記校正液入口はｐＨ電極の場合には、異なるｐＨ標準液が弁Aを介して管によりそれぞれ別の校正液容器に接続され、又、前記洗浄液入口は弁Ｂを介して管により前記洗浄水容器に接続されている。
【００２６】
本発明では、校正液容器又は洗浄液容器の液面が電極保持容器よりも適宜高い水準位置に配置する。前記適宜高い水準位置とは、前記各弁の開閉を制御し前記校正液が前記校正液容器（前記洗浄液容器）と前記電極保持容器とでパスカルの原理における連通管の状態のとき、前記電極測定部が前記校正液や洗浄液に覆われる程度の水準位置に前記校正液容器又は洗浄液容器が配置されていることをいう。
そうすることによって、電極保持容器へ校正液を導入する工程において、本発明では、前記校正液容器からの前記電極保持容器への前記校正液の導入又は前記洗浄液容器からの前記電極保持容器への前記洗浄液の導入を圧縮空気又は吸引ポンプ等の吸引装置を用いる必要なく各弁の開閉を制御することのみにより行うことができる。
【００２７】
本発明においては、校正液や洗浄液の容量については、校正液容器の電極保持容器への充填に際して校正液容器と電極保持容器との間の弁を開いて校正液容器と電極保持容器とが校正液により連通状態となり電極保持容器に導入された校正液の液面が電極測定部を覆うことのできる十分な容量の校正液が校正液容器に充填される。必要であれば、洗浄液の場合も同様である。
【００２８】
本発明では校正液及び洗浄液の両方の電極保持容器への導入を行うことができるが、必ずしもその両方を行う必要は無く、校正液又は洗浄液の一方だけを行い、他方は各弁を調節して吸入/排出ポンプ等により導入することもできる。この場合は校正液又は洗浄液の導入を停止するために別途タイマー等の設置が必要となる。
【００２９】
本発明においては、校正液容器や洗浄液容器の配置については、前記のとおり校正液容器や洗浄液容器を電極保持容器よりも高い水準位置に配置することによって達成される。より詳しくは、前記校正液が前記校正液容器と前記電極保持容器とで連通管の状態で前記校正液容器から前記電極保持容器に導入されたときに前記電極測定部が前記校正液に覆われる程度の水準位置に前記校正液容器が配置される。洗浄液容器の場合も同様である。これは連通管におけるパスカルの原理による。
【００３０】
前記各弁の開閉制御は、手動でも可能であるが、簡単な電子回路を用いて電磁弁を作動させて自動弁で行うことができる。
【００３１】
本発明では、圧縮空気は、校正液や洗浄液を元の容器に戻す工程で使用される圧縮空気Ａと、電極先端部を乾燥させるために使用される圧縮空気Ｂとが好ましく使用される。圧縮空気の圧力は、その目的に応じて適宜決定することができる。圧縮空気源として吸入/排出ポンプ等が使用される。
【００３２】
本発明では、吸排気口付近に設置される弁Ｃは好ましくは三方弁が用いられ、それぞれ吸排気口、圧縮空気源及び大気（排気）に接続されているが、二方弁を２個並べても良い。
【００３３】
実施例１
【００３４】
以下、まず、電極がｐＨ電極である場合の本装置の実施例１の全体構成を図1を参照して説明する。図１は本発明の電極校正装置の一例であって、電極がｐＨ電極である場合の本装置の全体の構成を示す。
【００３５】
本実施例1のpH電極校正装置は、管状の電極保持容器１０ａの内部にpH電極1ａが収容され支持されている。電極の先端部分に電極測定部が形成されている。pH電極１ａは電極保持容器１０ａに載置されると上部の蓋により密閉となる。又、電極保持容器１０ａの下部には洗浄水入口３ａ、校正液入口４ａ、排液口７ａが設けられている。
【００３６】
校正液入口４ａは弁Ａ（電磁弁Ｖ１、Ｖ２）を介して管により校正液容器に接続され、洗浄水入口３ａは弁Ｂ（電磁弁Ｖ３）を介して管により洗浄水容器に接続されている。洗浄水入口3a、校正液入口4a、排液口7a近傍にはそれぞれ電磁弁（V1〜V4）が取付けてある。排液口７ａは弁Ｖ４を介して図示しないドレインに接続されている。
又、校正液はpH7標準液及びpH4標準液の２種が用意され、それぞれ別の校正液容器に充填されている。
【００３７】
又、吸排気口６ａは電極保持容器１０ａの上部に形成され、本実施例1では電極保持容器１０ａの側胴部の上部に形成されて、弁Ｃ（電磁弁Ｖ5〜Ｖ7）を介して管により図示しない圧縮空気源又は大気に接続されている。
このうち弁Ｖ5は本実施例1では三方弁が使われ、それぞれ吸排気口６ａ、圧縮空気Ａ、Ｂ及び大気（排気）に接続されている。
【００３８】
本発明では、前記各弁の開閉制御により前記校正液が前記校正液容器と前記電極保持容器とで連通管の状態で前記校正液容器から前記電極保持容器に導入されたときに前記電極測定部が前記校正液に覆われる程度の水準位置に前記校正液容器が配置されている。従って、本発明においては、標準液や洗浄液を電極保持容器へ充填するために必要な圧縮空気源や吸引ポンプは必須でない。
【００３９】
又、電極保持容器への標準液や洗浄液の充填量が一定のため、前記各弁の開閉制御により前記校正液が前記校正液容器と前記電極保持容器とで連通管の状態で前記校正液容器から前記電極保持容器に導入されるだけなので前記電極保持容器内のレベルセンサーも設置する必要はない。
【００４０】
動作説明：電極がｐＨ電極である場合の本電極校正装置の動作は以下のステップからなる。
【００４１】
ステップ(０) 準備
弁Ｖ５と（弁Ｖ１又は弁Ｖ２）の両方を開いて、校正液を容器に充填すると、校正液容器と電極保持容器とが連通状態となり、電極保持容器内の校正液の液面の高さが電極測定部を覆うのに十分な容量の校正液を校正液容器に充填する。
【００４２】
ステップ(1) pH4標準液(図3参照)
自動弁V1、V5が開き、pH4標準液が電極保持容器内に浸潤し、電極先端の電極測定部を浸す。pH4標準液の液面高さが電極保持容器内の液面と等しくなるとそれ以上入らず停止する。
【００４３】
ステップ(2)  pH4校正
そして、pH4の校正をpH電極と接続したpH調節計にて行う。
【００４４】
ステップ(3) pH4標準液戻し(図4参照)
自動弁V1、V6が開き、V5は閉じて圧縮空気Aが供給され、pH4標準液が容器に戻される。
【００４５】
ステップ(4) 洗浄水充填(図5参照)
自動弁V3、V8、V5が開き洗浄水が押し出され電極保持容器内に満たされ電極先端の電極測定部を洗浄する。
【００４６】
ステップ(5) 洗浄水排出(図6参照)
自動弁V3、V5を閉じV5、V4が開き洗浄水を排出する。この洗浄は任意回数繰り返し可能。
【００４７】
ステップ(6) 乾燥
V4、V7が開き、V5は閉じて圧縮空気Bが供給され、電極先端の電極測定部を乾燥させる。
【００４８】
ステップ(7) pH7標準液充填(図7参照)
自動弁V2、V5(排気)が開き、pH7標準液が電極保持容器内に浸潤し、電極先端の電極測定部を浸す。pH7標準液の液面高さが電極保持容器内の液面と等しくなると連通管におけるパスカルの原理によりそれ以上入らず停止する。
【００４９】
ステップ(8)  pH7校正
そして、pH7の校正をpH電極と接続したpH調節計にて行う。
【００５０】
ステップ(9) pH7標準液戻し(図8参照)
自動弁V2、V6が開き、V5は閉じて圧縮空気が供給され、pH7標準液が容器に戻される。
【００５１】
ステップ(10） 洗浄水充填(図9参照)
自動弁V3、V8、V5が開き洗浄水が押し出され電極保持容器内に満たされ電極先端の電極測定部を洗浄する。
【００５２】
ステップ(11) 洗浄水排出(図10参照)
自動弁V3、V5を閉じ、V5、V4が開き洗浄水を排出する。この洗浄は任意回数繰り返し可能。
【００５３】
ステップ(12) 乾燥(図11参照)
V4、V7が開き、V5は閉じて圧縮空気が供給され、電極先端の電極測定部を乾燥させる。
【００５４】
ステップ(13)終了
全ての自動弁が閉じる。なお、V5は通電停止で圧縮空気供給側に開く。
【００５５】
本発明では、従来の吸入/排出ポンプ９による吸引方式と比べてタービンブロア装置による乾燥空気の風速、風量が極めて大きいため乾燥ステップ工程における乾燥時間を大幅に短縮することができる。
【００５６】
実施例２  
本実施例2では、弁Ｖ8が設けられておらず(図17)、洗浄液容器は常に大気に開放されており、上記ステップ（4）（10）では自動弁V3、V5が開き洗浄水が連通管を経由して電極保持容器内に満たされ電極先端の電極測定部を洗浄する。その他のステップは実施例１と同様である。
【００５７】
実施例３  次に、電極がＤＯ電極である場合の本装置の作業手順は以下のようになる。
図２は本発明の電極校正装置の内、ＤＯ電極校正装置の全体の構成を示す図である。
【００５８】
本発明のＤＯ電極校正装置は、管状の電極保持容器10bの下部に洗浄水入口３b、ゼロ標準液入口４b、排出口7bを配し、電極保持容器10bの上部側胴部には吸排気口8bを配している。
洗浄水入口3b、ゼロ標準液入口4b、排液口7bにはそれぞれ電磁弁（V1〜V4）が取付けてある。又、吸排気口８ｂは図示しない圧縮空気源に接続されている。
【００５９】
動作説明：電極がＤＯ電極である場合の基本動作は以下のステップからなる。
【００６０】
ステップ(1) ゼロ校正(図12参照)
自動弁V1、V5(排気)が開き、ゼロ標準液が電極保持容器10ｂ内に浸潤し、電極先端の電極測定部を浸す。ゼロ標準液の液面高さが電極保持容器内の液面と等しくなると連通管におけるパスカルの原理によりそれ以上入らず停止する。そして、ゼロ校正をDO電極と接続したDO指示計にて行う。
【００６１】
ステップ(2) ゼロ標準液戻し
自動弁V1、V5が開き、V4は閉じて圧縮空気Aが供給され、ゼロ標準液が容器に戻される。
【００６２】
ステップ(3) 洗浄(図13参照)
自動弁V2、V8、V4(排気)が開き洗浄水が押し出され電極保持容器内に満たされ電極先端の電極測定部を洗浄する。
【００６３】
ステップ(4) 排出(図14参照)
自動弁V2、V7を閉じ、V4(排気)、V3が開き、洗浄水を排出する。この洗浄は任意回数繰り返し可能。
【００６４】
ステップ(5) 乾燥
V3、V6が開き、V4は閉じて圧縮空気Bが供給され、電極先端の電極測定部を乾燥させる。
【００６５】
ステップ(6) スパン校正(図15参照)
【００６６】
自動弁V3、V5が開き、圧縮空気Bで電極先端の電極測定部を乾燥させる。
【００６７】
ステップ(7)指示計の値が100%付近で安定したらスパン校正をDO電極に接続されているDO指示計にて行う。
【００６８】
ステップ(8)終了(図16参照)
全ての自動弁が閉じる。なお、V5は通電停止で圧縮空気供給側に開く。
【００６９】
実施例４
本実施例では、弁Ｖ8が設けられておらず、容器は常に大気に開放されており、上記ステップ（4）（10）では自動弁V3、V5が開き洗浄水が連通管を経由して電極保持容器内に満たされ電極先端の電極測定部を洗浄する。その他のステップは実施例３と同様である。
【符号の説明】
【００７０】
１a  ｐＨ電極
1b  ＤＯ電極
３a,3b  洗浄水入口
４a  校正液入口
4b  ゼロ校正液入口
6a,6b    吸排気口
7a,7b  排液口
10a,10b  電極保持容器
A  圧縮空気A
B  圧縮空気B
V1,V2  弁A
V3 弁B
V5,V6,V7  弁C
【図１】
2018100863.tif 000003
【図２】
2018100863.tif 000004
【図３】
2018100863.tif 000005
【図４】
2018100863.tif 000006
【図５】
2018100863.tif 000007
【図６】
2018100863.tif 000008
【図７】
2018100863.tif 000009
【図８】
2018100863.tif 000010
【図９】
2018100863.tif 000011
【図１０】
2018100863.tif 000012
【図１１】
2018100863.tif 000013
【図１２】
2018100863.tif 000014
【図１３】
2018100863.tif 000015
【図１４】
2018100863.tif 000016
【図１５】
2018100863.tif 000017
【図１６】
2018100863.tif 000018
【図１７】
2018100863.tif 000019
【図１８】
2018100863.tif 000020